Podtech/llm-jp-corpus-v4-ja_patent huggingface dataset:
(57)【要約】【課題】  モニター上に撮影画像を表示させるため、モニター上での異常を素早く発見する必要がある。しかし術者は、Ｘ線撮影中、被験者の撮影状態を優先的に監視するため、モニター上の異常の発見が遅れることになる。これにより再度撮影することになり被験者に余分な被曝を与えることとなる。このようにモニター上の異常を素早く発見することができるＸ線撮影システムを提供する。【解決手段】  撮影中の被験者の撮影状態を監視するＸ線撮影室外に設けられた装置制御用パーソナルコンピュータに接続可能なカメラを装置、あるいは装置の近傍に設けて、被験者の撮影画像を表示する同じモニター上にカメラによる被験者の撮影状態を取り込み、一つの画面に両方の画像を表示することにより被験者の状態とＸ線撮影画像の両方を見ることが可能となり、Ｘ線撮影画像に異常が生じた場合素早く対応でき撮影を中止することができる。【選択図】  図１
2006034669.tif 000002
【特許請求の範囲】
【請求項１】
Ｘ線撮影室内でのＸ線撮影において、Ｘ線撮影装置あるいは、Ｘ線撮影装置の近傍に被験者のＸ線撮影中の状態を監視する監視手段を設けたＸ線撮影システムにおいて、前記監視手段が装置制御用パーソナルコンピュータと接続可能なカメラであることを特徴とするＸ線撮影システム。
【請求項２】
前記監視手段で得られた監視情報を前記装置制御用パーソナルコンピュータのモニタ上の一部分に他の画像と共に写し出されることを特徴とする請求項１に記載のＸ線撮影システム。
【発明の詳細な説明】
【技術分野】
【０００１】
本発明は、Ｘ線撮影中の被験者の監視を行うＸ線撮影システムに関する。
【０００２】
さらに詳しくは、Ｘ線撮影中に被験者の撮影状態を監視する監視手段を設けたＸ線撮影システムに関する。
【背景技術】
【０００３】
Ｘ線撮影中、術者は、常に被験者の撮影状態を監視する必要がある。従来、専用の監視カメラを設け、専用の監視モニターで被験者の撮影状態を監視するものがある。今日、ＣＣＤセンサーにて撮影を行いＸ線撮影室外に設けられた装置制御用パーソナルコンピュータのモニター上にその画像を表示する所謂、デジタルパノラマ(セファロ)Ｘ線撮影では、モニター上に撮影画像が表示され、その画像に何らかの異常が起こっても術者は、被験者の監視を優先させているため異常に気付くのが遅れることになる。よって、この異常により再度撮影のやり直しが生じることとなり、これにより被験者に余分な被曝を与えてしまうことになる。
【発明の開示】
【発明が解決しようとする課題】
【０００４】
本発明は、以上の状況を鑑みなされたもので、その解決しようとする課題は、以下の通りである。デジタルパノラマ(セファロ)Ｘ線撮影では、モニター上に撮影画像を表示させるため、モニター上での画像の異常を出来るだけ素早く発見する必要がある。しかし術者は、Ｘ線撮影中、被験者の撮影状態を優先的に監視する必要があるため、モニター上での異常の発見が遅れることになる。この異常により被験者を再度撮影することになるが、これにより被験者に余分な被曝を与えることとなる。このことからモニター上の異常を素早く発見して、即座にＸ線撮影を中止することが被験者にとって重要となってくる。
【課題を解決するための手段】
【０００５】
デジタルパノラマ(セファロ)Ｘ線撮影において、撮影中の被験者の撮影状態を監視するＸ線撮影室外に設けられた装置制御用パーソナルコンピュータ(以下パソコンという)に接続可能なカメラをＸ線撮影装置、あるいはＸ線撮影装置の近傍に設けて、被験者の撮影画像を表示する同じモニター上の一部分にカメラによる被験者の撮影状態を取り込み、一つの画面に両方の画像を表示することにより術者は、その画面により被験者の状態とＸ線撮影画像の両方を見ることが可能となり、Ｘ線撮影画像に異常が生じた場合は、素早く対応でき撮影を中止することができる。
【発明の効果】
【０００６】
デジタルパノラマ(セファロ)Ｘ線撮影において、Ｘ線撮影装置あるいは、Ｘ線撮影装置の近傍にパソコンに接続可能なカメラを設けて、一つのモニター上に被験者の撮影状態と撮影画像を表示させることにより同時に確認しながら撮影することができるため、被験者の異常、装置の異常及び撮影画像の異常に対して素早く対応でき、撮影を中止することにより被験者に余分な被曝を与えることがなくなる。
【発明を実施するための最良の形態】
【０００７】
デジタルパノラマ(セファロ)Ｘ線撮影装置において、Ｘ線撮影装置あるいは、Ｘ線撮影装置の近傍にカメラを設け撮影中の被験者の状態を監視して、モニター上に表示させる。このモニターには、被験者の撮影画像も表示されており、同時に確認しながら撮影することができる。
【実施例】
【０００８】
以下実施例に基づいて説明する。図１は、本発明に係るＸ線撮影システムの構成図の一例である。図２は、モニター上での取り込み画像の一例である。また図３は、本発明に係るＸ線撮影システムのブロック図の一例である。図１に示すようにＸ線撮影室５の中にＸ線撮影装置１及びカメラ３が入っている。カメラ３は、Ｘ線撮影室外にあるパソコン４に接続されており被験者２の撮影中の状態を写しパソコン４に画像を通信している。パソコンのモニター上では、撮影画像、通常画像７及び被験者２の監視画像６が同時に表示されている。これにより術者は、被験者２の監視と撮影画像等の異常の状態を同時に確認でき、撮影画像等に異常が発生した場合は、すぐに撮影を中止して被験者２への余分な被曝を与えることがない。図２は、モニター上での取り込み画像の一例を示す。モニターの画面の一部分にカメラ３により得られた被験者２の監視画像６を表示させており、また通常画像７も表示されているため、術者は同時に画像を確認することがてきる。図３は、このシステムのブロック図を示しており、カメラ３により取り込んだ被験者２の監視画像６をＸ線撮影室外にあるパソコン４に送りモニター上の一部分に表示させるものである。
【図面の簡単な説明】
【０００９】
【図１】本発明に係るＸ線撮影システムの構成図である。
【図２】モニター上での取り込み画像の一例である。
【図３】本発明に係るＸ線撮影システムのブロック図である。
【符号の説明】
【００１０】
１  Ｘ線撮影装置
２  被験者
３  カメラ
４  パソコン
５  Ｘ線撮影室
６  監視画像
７  通常画像
【図１】
2006034669.tif 000003
【図２】
2006034669.tif 000004
【図３】
2006034669.tif 000005
(57)【要約】      （修正有）【課題】漁業資源の減少を食い止め、将来の漁獲高の増加に寄与する。産業廃棄物の廃ゴムタイヤの最終処分地として行なうもので、環境問題に対しても寄与する。【解決手段】枠組材１に廃ゴムタイヤ２を積み込んで離散させぬように廃ゴムタイヤ緊結材３で枠組内の外部に面する一部をロ−プ等で結ぶ。このようにして組み込んだ個体を、個体連結材４にて数多く繋いで、漁礁の団地を造成する。【選択図】図２
2006034269.tif 000002
【特許請求の範囲】
【請求項１】
「〔図１〕」個体の製作図であり▲１▼枠組材を使用して組立て１個の個体を製作し、内部に▲２▼廃ゴムタイヤをなるべく間隔を小さくなる様に設置、積み込んでいく。その工程の中で、枠より食み出す場合を考慮して▲３▼廃ゴムタイヤ緊結材で固定する場合も有り得る。
「〔図２〕」は個体を団地に造成した図であり、個体の離散及び崩壊を食い止める為に▲４▼個体連結材にて多数の個体を連結集合して、一大漁礁団地を造成して行く。
【発明の詳細な説明】
【発明の詳細な説明】
【技術分野】
【０００１】本発明は漁業資源の育成に関するもの。
【背景技術】
【０００２】従来から漁礁としては、廃船を利用したもの、コンクリ−トブロック及び土石等があるが、廃船も油質性物質が滲み出す危険性があり、コンクリ−トブロックは製品が高価であり、土石を利用する場合も、防波堤及び防潮堤の根固め等に利用する場合が多いのであまり望めない。
【発明が解決しようとする課題】
【０００３】近年、漁業に於ける漁獲高は年々減少に転じている。漁船に於ける漁網の高性能化及び魚群探知器による一網打尽の漁業では、将来的に漁獲高の上昇は望めない。今後の漁業は、魚の育成が課題であり、国際的な問題である。
【課題を解決するための手段】
【０００４】上記目的を達成するために、本発明の廃ゴムタイヤを枠内に組み込んだ漁礁用の個体を連結して、漁礁団地の造成を行なう。
【発明を実施するための最良の形態】
【０００５】「〔図１〕」▲１▼枠組材にて枠を作成する。▲２▼枠内に廃ゴムタイヤを投入し、順序正しく積み込んで行く。▲３▼大小の廃ゴムタイヤがあるので、枠より食み出さないようにロ−プ等で緊結する。
「〔図２〕」▲４▼漁礁団地の造成には多くの個体が必要であるので、個体間を連結材にて固定する。
【発明の効果】
【０００６】本発明は以上説明したように構成されているので、以下に記載されるような効果を奉する。
【０００７】漁業資源の育成の為、大陸棚の海面より１００ｍ以内の海中に漁礁を造成するので、船舶航行には差し支え無い。又、台風及び津波にも海中であるのでその影響は無い。廃ゴムタイヤは産業廃棄物として、その後始末が大変な問題である。種々と創意工夫して再生に向けて尽力されているのが現状であるが、再生に対しては、強度及び引張力が不足し、燃料として燃焼する場合は、ダイオキシン等の発生の問題がある。施設及び設備に多額の経費が必要とされ、廃棄されるタイヤが年々増加の一途であるので、この面の環境問題の解決にも役に立つと考えられる。
【図面の簡単な説明】
【図１】  漁礁の正面図・立面図・断面図である。
【図２】  漁礁の個体を連結した連結図である。
【符号の説明】
【図１】
１  枠組材
２  廃ゴムタイヤ
３  廃ゴムタイヤ緊結材
【図２】
４  個体連結材
【図１】
2006034269.tif 000003
【図２】
2006034269.tif 000004
(57)【要約】【課題】  手軽に天然の食材の食感や味覚を味わうことができるフィルム容器入り野菜・果物を提供する。【解決手段】  一口大にした食材を片手で保持しやすい形状のフィルム容器に入れ、ゼリー液入りのドレッシング等を食材表面にコーティングした後、密封する。【選択図】図１
2006034268.tif 000002
【特許請求の範囲】
【請求項１】
天然野菜あるいは天然果物の原形あるいは切ったものを、片手に保持しやすい形状のポリエチレン製等のフィルム容器に入れた、手軽に喫食できることを特徴としたフィルム容器入り野菜・果物。
【請求項２】
ゼリー溶液を混合したドレッシングによる、請求項１のフィルム容器にいれる食材の、コーティング方法
【発明の詳細な説明】
【技術分野】
【０００１】  本発明は、天然野菜あるいは天然果物の原形あるいは切ったものを、片手に保持しやすい形状のポリエチレン製薄膜等製のフィルム容器に入れた、手軽に喫食できることを特徴とした加工食品に関するものである。
【技術背景】
【０００２】  従来、惣菜や弁当の野菜および果物の加工品は、皿状のパックに入れて販売されていた。また、野菜や果物の栄養成分を手軽に摂取するために、ジュース類が販売されている。
【発明の開示】
【発明が解決しようとする課題】
【０００３】  そのために、次のような問題点があった。
（イ）おにぎりやハンバーグ、サンドイッチなどの軽食は、どのような場所や姿勢でも喫食可能であるのに比べ、サラダを喫食するためにはフォークなどを要すること、またドレッシングをかける必要があるためにテーブルのある場所でないと食べにくいなど、場所や姿勢が制限されていた。
（ロ）サラダに付属のドレッシングは一般的に小袋に入っているが、喫食の際に手を汚すことが多かった。
（ハ）サラダや果物は、皿状のパックに詰められた状態では素材の間に空気を多く含むため、お弁当用に常温で持ち歩くと傷みやすかった。また、密封されていないため、時間経過とともに食品が乾燥し、食感や味が低下した。
（ニ）野菜・果物のジュース類は、栄養の面では充足されるものの、食材本来の食感をなくしており、食の満足感を与えるものではなかった。
（ホ）皿状のパックは、廃棄の際にかさばり、資源の無駄でもあった。
本発明は、これらの問題点を解決するためになされたものである。
【課題を解決するための手段】
【０００４】  天然野菜あるいは天然果物の原形あるいは切ったものを、片手に保持しやすい形状のポリエチレン製薄膜等製のフィルム容器に入れ、ゼリー溶液を混合したドレッシング溶液をかけた後、フィルムを密閉する。以上を特徴とするフィルム容器入り野菜・果物である。
【発明の効果】
【０００５】  フィルム容器によって片手で保持しやすい形状であるために、喫食の際、手を汚さず、扱いやすい。喫食の場所や姿勢を制限せず、野菜・果物の喫食が容易となるため、他の軽食と併食することが容易で、これにより栄養バランスが改善される。
食材の組み合わせにより、見た目の色彩が鮮やかであるため、野菜や果物を食することへの興味がわく。
食材が密閉保存されるため、持ち運びの際の液漏れなどがなく、不潔感がない。
脱気密閉やドレッシングのコーティングによって食材の鮮度が保たれ、常温での保存可能な時間が延長できる。
また、ジュースと異なり、食材本来の食感が楽しめるため、食の満足感が得られる。
容器が薄い膜状であるため、廃棄物が少なく環境負担が小さくなる。
【発明を実施するための最良の形態】
【０００６】  以下、本発明の実施の形態について説明する。
「第１実施例」
（イ）冷やした食材（トマト、きゅうり、レタス、黒豆等の野菜）を一口大に切り、円筒状のフィルム容器に入れる。フィルム容器の底は、液体が流れ出るように穴を開けておく。
（ロ）フィルム容器の口から、ドレッシング液（レモン汁等とゼリー液を混ぜたもの）を流しいれ、底から流しだす。この作業により、冷えた食材の表面でゼリー液が膜状に固まり、食材がゼリー状のドレッシング液でコーティングされる。また、食材間が接着され、食するときにバラバラになりにくく扱いやすくなる。
（ハ）その後、冷蔵室で冷やし、ドレッシング液が固定した時点で、フィルム容器を脱気密閉する。
本発明は、以上の構成よりなっている。
これを喫食するときは、フィルム容器の一片を開封し、底から内容食材を押し上げ、開封側から食する。
本発明の実施の形態では、野菜を例に説明したが、その他の野菜、豆類、果物や一口大にしたチーズ・ハム等の食材でも同様に製造できる。
「第２実施例」
「第１実施例」のゼリー液を、天草を煮出した液あるいは寒天液で代用することで、原材料をすべて植物性由来にすることができる。
【図面の簡単な説明】
【０００７】
【図１】本発明の斜視図
【図２】本発明の工程を示すフローチャート図
【符号の説明】
【０００８】１  食材  野菜・果物など
２  フィルム容器
【図１】
2006034268.tif 000003
【図２】
2006034268.tif 000004
(57)【要約】【課題】  従来の豆腐は欲しい時に欲しいだけ食せないという問題がある。このことは豆腐が軟らかく、壊れやすく、そのまま食すには大きすぎることが起因している。しかも容器内には大量の水と一緒に入っていることや、製品によっては蓋部が強く溶着されおり刃物でも使用しない限り一般の消費者には開封できない。また、開封しても大量の水があるため直接食すことは困難である。本発明では手軽なスナック感覚食材として食せる豆腐製造方法を提供する。【解決の手段】  豆腐製造工程途中である豆乳へ凝固剤投入後の流動体を、可食性を持ったウインナー状の充填容器材に充填し、加熱処理することにより凝固させると共に殺菌もでき安心で、しかも欲しい時にいつでも欲しいだけそのままの姿でも食すことができるイージーな豆腐加工食品である。【特許請求の範囲】
【請求項１】
豆腐製造工程途中の半製品である凝固剤入り流動体を可食性の性質を持ったウインナー状の容器体に充填し、加熱処理により凝固させた調理済み豆腐加工食品。
【請求項２】
微粉末に加工された大豆粉を溶解し凝固剤を加えた流動体を可食性の性質を持ったウインナー状の容器に充填し、加熱処理により凝固させた調理済み豆腐加工食品。
【請求項３】
加熱処理された有色野菜及びおから、魚のすり身、魚卵、牛肉のミンチ等が混入された請求項1または２に記載の調理済み豆腐加工食品。
【請求項４】
醤油、塩、酢、ワサビをはじめとした嗜好調味料が混入された請求項1、２、３にいずれかに記載の調理済み豆腐加工食品。
【請求項５】
請求項１、２、３、４のいずれかで得られた調理済み豆腐加工食品を更に燻製する事によって得られる調理済み豆腐加工食品
【発明の詳細な説明】
【技術分野】
【０００１】
本発明は、豆腐製造工程途中の半製品である凝固剤入り流動体を可食性の性質を持ったウインナー状の容器に充填し、加熱処理をする事により凝固させた調理済み豆腐加工食品に関するものである。
【背景技術】
【０００２】
豆腐は健康食品として世界的にも注目度が高揚している。しかし、豆腐は生鮮食品のため豆腐製造工程中に人体との接触を極力省く事を目的に、装置産業的設備にて大ロット製造されているのが実態であり、豆腐の形状は視覚的には旧態いぜんとした四角い形状で大きく、しかも豆腐1丁の目方はおおよそ４００グラムが大量の水と共に容器内に浮いている。この容器の蓋部は厳重に封止めが行われるため、消費者が開封しようとしても刃物を使用し無い限り滅多な事では開封できない。また一度開封すると残分の保管が困難な事や、子供や年輩の方や手が不自由な方にとっては食べたい、食べさせてやりたい代表的な食品でありながら非常に食べ難い加工食品となっている。
【発明の開示】
【発明が解決しようとする課題】
【０００３】
健康に良いものは、一度に４００グラムもの大量摂取する事ではなく、日常の食事又は、間食的感覚で気軽に摂取できる事が重要となる。本発明は従来の豆腐というイメージを払拭し、素手でも箸でもフォークでも手軽に食することができ、しかも、保管性も楽なウインナー様式のイージー食型形状調理済み豆腐加工食品を提供することを目的とする。
【課題を解決するための手段】
【０００４】
本発明に係るイージー食型状調理済み豆腐加工食品は、豆腐製造工程途中の凝固剤入り流動体又は微粉末に加工された大豆粉を溶解し凝固剤を投入した後の流動体を可食性を持ったウインナー状の容器にそのまま充填するか、充填前に加熱処理されたおからや有色野菜等の混入又は、嗜好改善を目的にあらかじめ調整された醤油、塩、酢、ワサビ等を添加し、充填・密閉し加熱処理することにより得られるウインナー状のイージー食型形状の調理済み豆腐加工食品であり、更に燻製加工を可能としたことを特徴とする。
【発明の効果】
【０００５】
本発明は、健康に良い豆腐が欲しい時に欲しい量だけ食することを可能にした。食に当
たっては、ウインナー状の容器のまま冷やしたり温めたりが自由自在でまた、食するにあたっては刃物などの器具を使用することなく、誰でも簡単に容器のままでも容器より絞りだしてでも食することが自在となる。保管においても従来の豆腐と異なり大量の水を必要としないため、冷蔵庫内の保管スペースも多くを必要とせずコンパクトに収納できる。更にコンパクト化と輸送損傷が軽減される事により流通性に優れ、手軽なスナック感覚食材として活用できる事が可能となった。
【発明を実施するための最良の形態】
【０００６】
本発明による最良の形態は、豆腐製造工程途中の凝固剤入り流動体もしくは、微粉末に加工された大豆粉を溶解し凝固剤を投入した後の流動体を可食性でウインナー状の容器であって直径が約３センチメートル程度に充填し、長さが約１０センチメートル程度の３〜５連程度の区切りとし、８０℃以上に加温し凝固・殺菌加工を行う、この１連あたりの豆腐重量は約１００グラムとなり奴や味噌汁における大人１人分を十分にまかなうことのできる容量となる。
【実施例１】
【０００７】
以下、本発明の具体的実施例を述べる、絹ごし豆腐製造用に用意された豆乳に凝固剤を投入した流動体を、あらかじめ準備しておいた筒状の豚腸管に直径が約３センチメートル程度になるように充填し、長さ１メートル程の腸詰めを得た。この腸詰め流動体に約１０センチメートル間隔にくびりをつけ、８０±２℃温水中にて２０分の処理を行う事によってウインナー形状の豆腐を得た。
【０００８】
微粉末に加工された大豆粉に水道水を加えて十分に溶解し凝固剤を投入した後の流動体を、あらかじめ準備しておいた筒状の豚腸管に直径が約３センチメートル程度になるように充填し、長さ１メートル程の腸詰めを得た。この腸詰め流動体に約１０センチメートル間隔にくびりをつけ、８０±２℃温水中にて20分の処理を行う事によってウインナー形状の豆腐を得た。
【０００９】
前述｛０００７｝および｛０００８｝の実施例において、筒状の豚腸管に充填する前工程としてそれぞれの流動体にあらかじめ熱処理を行ったおから、ニンジン、魚のすり身、魚卵、牛肉のミンチ等を混合し充填後、同様の加工処理を行う事によってウインナー形状の豆腐を得た。
【００１０】
前述｛０００７｝および｛０００８｝の実施例において、筒状の豚腸管に充填する前工程としてそれぞれの流動体に醤油、塩、酢、ワサビをはじめとした嗜好調味料を混合し充填後、同様の加工処理を行う事によってウインナー形状の豆腐を得た。
【００１１】
参考までに、豆腐製造途中工程で凝固剤を投入し一度凝固させたものを崩した後に、あらかじめ準備しておいた筒状の豚腸管に直径が約３センチメートル程度になるように充填後に、同様の加工処理を行ったところ同様のウインナー状の豆腐を得ることができた。このことから凝固後であっても加工が可能である事が確認できた。
【実施例２】
【００１２】
実施例１で得られたウインナー状の豆腐を用いて、ウインナー同様の燻製を行う事によって薫り高いスナック風のウインナー状の加工豆腐を得た。
(57)【要約】【課題】  本発明の目的は、膨張剤を使用しなくてもパン様の食感を楽しめる玄米を主材としたパン様食品を提供する。【解決手段】  玄米を粗く粉砕した粉と水を混ぜ、適宜調味料とその他食材を加えたものを容器に入れ焼成又は蒸した、膨張剤を混入しないパン様食品。  玄米を粗く粉砕した粉とおからと水を混ぜ、適宜調味料とその他食材を加えたものを容器に入れ焼成又は蒸した、膨張剤を混入しないパン様食品。【特許請求の範囲】
【請求項１】
玄米を粗く粉砕した粉と水を混ぜ、適宜調味料とその他食材を加えたものを容器に入れ焼成又は蒸した、膨張剤を混入しないパン様食品。
【請求項２】
玄米を粗く粉砕した粉とおからと水を混ぜ、適宜調味料とその他食材を加えたものを容器に入れ焼成又は蒸した、膨張剤を混入しないパン様食品。
【発明の詳細な説明】
【技術分野】
【０００１】本発明は玄米を主材としたパン様食品に関する。
【背景技術】
【０００２】近年玄米食がブームであり、特にベジタリアンの間では栄養価の高い玄米は人類が高く加工食品が売られている。しかし従来の加工食品には添加物が混入されているのが実情である。例えば特許第１１１９３４号では玄米とおからを主成分としたパンにおいて、膨張剤を使用している。
【発明の開示】
【発明が解決しようとする課題】
【０００３】本発明の目的は、膨張剤を使用しなくてもパン様の食感を楽しめる玄米を主材としたパン様食品を提供する。
【課題を解決するための手段】
【０００４】本発明の１つは玄米を粗く粉砕した粉と水を混ぜ、適宜調味料とその他食材を加えたものを容器に入れ焼成又は蒸した、膨張剤を混入しないパン様食品である。０．１〜２ｍｍ、好ましくは０．５〜１．５ｍｍに粗挽きした玄米粉を、水（玄米粉５００ｇに対し１００〜５００ｃｃ）と混ぜ、適宜油又はベーキングシートを敷いた容器に入れ、火にかける場合は弱火〜中火で２０分〜１時間、オーブンの場合は９０度〜２５０度で２０分〜１時間、蒸す場合は弱火〜中火で２０分〜１時間処理する。このように粗挽きした玄米粉を使用することで、玄米粉の間に小さい空間ができるので、膨張剤を入れなくてもパン様食品を製造することができる。【０００５】もう１つの本発明であるおから入りの場合は、玄米を粗く粉砕した粉とおからと水を混ぜ、適宜調味料とその他食材を加えたものを容器に入れ焼成又は蒸した、膨張剤を混入しないパン様食品である。０．１〜２ｍｍ、好ましくは０．５〜１．５ｍｍに粗挽きした玄米粉と、おからと、水（玄米粉とおからの合計５００ｇに対し１００〜５００ｃｃ）と混ぜ、適宜油又はベーキングシートを敷いた容器に入れ、火にかける場合は弱火〜中火で２０分〜１時間、オーブンの場合は９０度〜２５０度で２０分〜１時間、蒸す場合は弱火〜中火で２０分〜１時間処理する。玄米粉とおからの比は重量で１：９〜９：１、好ましくは３：２〜２：３である。【０００６】本発明のパン様食品の原料として適宜加えることのできる調味料は、何でも使えるが、塩・砂糖・みりん・酒粕・みりん粕・醤油・味噌・シナモンパウダー・スパイス等が好ましい。また適宜加えることのできる食材は何でもよいが、乾燥果実・野菜・豆・海草・穀物・うるち米・もち米・種実類・野草・茶などが好ましい。おからは生おからか、乾燥おからを水分でふやかしたものを用いる。また製造したパン様食品に、通常の食パンに塗るようなバターやジャムや蜜やおかずなど、何を添えても合う。
【発明の効果】
【０００７】膨張剤を使用しないことにより、健康によい、玄米を主材としたパン様食品を提供できる。
【発明を実施するための最良の形態】
【０００８】以下、実施例に基づいて本発明を詳細に説明するが、本発明はこれらの実施例に限定されるものではない。
【実施例】
【０００９】実施例１  パン焼き鍋を弱火にかけてあたためておく。約１ｍｍに粗挽きした玄米５００ｇと自然塩４ｇと水３００ｇをボールに入れて、ヘラでかきまぜる。温まった鍋にうすく食用油を塗り、混ぜたタネを鍋の中に入れる。フタをして、中火で２０分焼いたら、鍋ごとひっくり返し、底面にストンと落としたら、反対面をおなじ火加減で１０分焼く。火を止めて鍋からパンを抜く。このようにして製造されたパン様食品は、ドイツのパンのように固く、しっかりしている。【００１０】実施例２  パン焼き鍋を弱火にかけてあたためておく。約１ｍｍに粗挽きした玄米粉３００ｇと生おから２００ｇと自然塩４ｇと水３００ｇをボールに入れて、ヘラでかきまぜる。温まった錫にうすく油を塗り、混ぜたタネを鍋の中に入れる。フタをして、中火で２０分焼いたら、鍋ごとひっくり返し、底面にストンと落としたら、反対面をおなじ火加減で１０分焼く。火を止めて鍋からパンを抜く。このようにして製造されたパン様食品は、柔らかくモチモチした食感がある。【００１１】実施例３  約１ｍｍに粗挽きした玄米粉３００ｇと生おから２００ｇと自然塩４ｇと水３００ｇをボールに入れて、ヘラでかきまぜる。パウンド型にベーキングシートを敷き、混ぜたタネを型の中に入れる。スチームオーブンで９５℃前後で３５分焼いて完成。このようにして製造されたパン様食品は、柔らかくしっとりした食感がある。
【産業上の利用可能性】
【００１２】本発明のパン様食品は、膨張剤が混入されていないため安全であり、栄養価の高い玄米をおやつ感覚で食べることのできる、全く新しいパン様食品である。
(57)【要約】【課題】  ブルーベリーはＰＨ4.5で酸性が強いので、豆乳のタンパク質に反応して分離してしまう。また、豆乳にブルーベリーを混ぜると豆乳の温度が下がりうまく混ざらない。  ブルーベリーを粉末にして豆乳に混ぜたら、分離してよく混ざらなかった。  また、ブルーベリーを豆乳に入れる事によって豆乳の温度が下がり、固まりがよくなか      った。【解決手段】  ブルーベリーはＰＨ4.5で酸性が強く、豆乳のタンパク質に反応して分離してしまう事がわかり、ブルーベリーを中性にする為に炭酸水素ナトリウムを適量加える事によって分離しなくなった。  豆乳は温度が80°で豆腐にする為のニガリを混ぜ豆腐にするが、その時にブルーベリーも豆乳と同じ80°の温度まで温めて豆乳とブルーベリーを素早く混ぜニガリを混入する事によって解決した。【特許請求の範囲】
【請求項１】
ミキサーで砕いたブルーベリーに、炭酸水素ナトリウムを加え中性化し、温度を80度にして豆乳と混ぜニガリを加えたブルーベリー豆腐。
【発明の詳細な説明】
【技術分野】
【０００１】
この発明は、豆乳に果実を混入した豆腐に関するものである。
【背景技術】
【０００２】
豆腐は料理に使い、ブルーベリーは食後のデザートとして用いられていた。
【発明の開示】
【発明が解決しようとする課題】
【０００３】
豆腐とブルーベリーは別々の商品として存在している。
ブルーベリーを入れる事によって、豆腐はデザートとして存在することになった。
【課題を解決するための手段】
【０００４】
ブルーベリーはＰＨ4.5で酸性が強いので、豆乳のタンパク質に反応して分離してしまう。ブルーベリーを中性にする為に、炭酸水素ナトリウムを加えて豆乳に混ぜることに  
よって解決した。
【発明の効果】
【０００５】
豆腐は単に食事の材料ではなく、食後のデザートとして又、おやつとして子供達にも簡単に食べられしかも、豆乳のタンパク質とブルーベリーのビタミンＡを摂取しやすい効果がある。
【発明を実施するための最良の形態】
【０００６】
ミキサーで砕いたブルーベリーの酸性食品を中性化し、豆乳に混ぜる時は豆乳と同じ温度80度にして流し込み、ニガリを加える。
(57)【要約】      （修正有）【課題】釣り仕掛けに於ける投入時投入後又は遠投時遠投後に針す、枝す、幹糸道糸、浮子の絡み釣り餌さの飛び散り脱落衣類などへの引掛かりを防止し、安全かつ力強く遠投ができること。【解決手段】本体（１）にスリット（８）の入った円筒の空洞（６）を設け、固形撒き餌を空洞上部から入れ、空洞下部の絞り部分で止め、スライド部品（２、３、４、５）の該穴に針すを通し、針す及び幹糸の絡み及び餌の飛び散り脱落、衣類などへの引掛かりを防止、本体上部の本体道糸固定スリット部（７）を設け、遠投し易くし、上部蓋部分をスリット（８）に差し込んだスライド部品（２、３、４、５）が上部から抜け出ないよう回転させる事で蓋をする構造により課題が解決される。【選択図】図１
2006034289.tif 000002
【特許請求の範囲】
【請求項１】
天秤釣り仕掛け本体１のロックピン穴５に固形撒き餌さロックピン６を入れ、回転スプリング８、蓋４を備えた本体部分に海水又は、淡水において浸水後に固形撒き餌さロックピン６が溶け回転スプリング８により蓋４を開け生き餌さ又は、飛び散り脱落しやすい餌さが海水又は淡水に放たれる釣り仕掛け装置。
【発明の詳細な説明】
【技術分野】
【０００１】本発明は天秤釣りに於ける針す道糸の絡みや釣り餌さの脱落飛び散り、衣類や周辺への引掛かりを防止する装置を備えた釣具とそれに伴うロック並びにタイマースイッチをかねた釣り餌さを使った釣り仕掛け装置。
【背景技術】
【０００２】天秤、針す、枝す、幹糸、道糸で組み合わせた形態の釣り仕掛け。
【発明が解決しようとする課題】
【０００３】周囲の状況や水の流れ、風向により起こる仕掛けの絡み引掛かり餌さの脱落、飛び散りを起こしやすい釣り仕掛けである。
【課題を解決するための手段】
【０００４】仕掛け本体の針す、枝す、幹糸、道糸の絡み引掛かりを防止する為にカプセル内に収納し、海水または淡水に浸水後、カプセル開閉箇所を固定している固形撒き餌さが溶け仕掛けを放つ。
【０００５】図１、天秤釣り仕掛け本体１に空洞７を設け餌さの付いた針３を入れ開転スプリングのきいた蓋４を回転させて止め、ロックピン穴５に固形撒き餌さロックピン６を差し込む形態。
【発明の効果】
本発明は上記で説明したように構成されているので、周囲の状況や水の流れ、風向により起こる仕掛けの絡み引掛かり餌さの脱落、飛び散りを防止する。
【０００６】脱落しやすい餌さ、生餌さもカプセル内に収納されることにより、無理なく投入出来、周囲の人に迷惑をかけることなく釣りが出来る。
【図面の簡単な説明】
【図１】天秤釣り、装置本体側面図
【符号の説明】
１    本体
２    幹糸
３    針す
４    蓋
５    ロックピン穴
６    固形撒き餌さを使ったロックピン
７    空洞部分
８    開転スプリング
【図１】
2006034289.tif 000003
(57)【要約】【課題】先端の両先が内側に丸みをもって曲ったＵ字形の上部を有し、下部の先端が尖った支柱を提供する。【解決手段】支柱の上部に先端の両先が内側に丸みをもって曲ったＵ字形の部分を有し、下部先端が尖った部分を有する農業用支柱。【選択図】  図１
2006034272.tif 000002
【特許請求の範囲】
【請求項１】
支柱の上部の両端が丸みを持って内側に曲ったＵ字形で下部の先端がとがった形をした農業用支柱。
【請求項２】
支柱の上部の両端が丸みを持って内側に曲ったＵ字形、丸形、Ｙ形等の各種形状で下部の先端が尖った形をした請求項１記載の農業用支柱。
【請求項３】
支柱の中間部に、縄、紐、ロープ、鎖等を引っ掛け、又は結ぶ各種形状の金具を設けた請求項１〜２記載の農業用支柱。
【請求項４】
金属、あるいは合成樹脂で構成された請求項１〜３記載の農業用支柱。
【請求項５】
金属、あるいは合成樹脂でできた農業用支柱に塗装又は各種メッキをした請求項１〜４記載の農業用支柱。
【発明の詳細な説明】
【技術分野】
【０００１】  本発明は、上部の両先端が丸みをもち内側に曲ったＵ字形で下部の先端がとがった形をした支柱に関するものである．
【背景技術】
【０００２】  従来、上部が丸形で下部がとがった支柱があった、又丸形で丸形の片方が掛けていた支柱があった。
【発明の開示】
【発明が解決しようとする課題】
【０００３】  それには次のような問題点があった。
（イ）畑等で使用する時、ひもを通すか、穴にあった棒しかとおす事が出来なかった。
（ロ）クサリ等も利用できない事も有った。
本発明は、これらの問題点を解決するためのものである。
【課題を解決するための手段】
【０００４】  支柱の上部をＵ字形にし先端両端（Ａ）（Ａ’）部を内側に曲げ、中央部には金具（Ｂ）を設け、また土、畑、花壇等に刺す下部の先端（Ｃ）部を尖らせた農業用支柱である。
【発明の効果】
【０００５】  鋼鉄、又は合成樹脂で作った各種の支柱は、下部先端が尖っている為、土、畑、花壇等に刺すのに女性や子供でも楽に刺すことが出来、また支柱の上部がＵ字形である為、上から棒や竹棒等をすばやくのせる事ができる。又、上部先端（Ａ）（Ａ’）が内側に曲っている為、安全であり、クサリ等かけたときも容易には外れない、又、鋼鉄、合成樹脂で出来ているため強固である、又半永久的に使用できる。
【発明を実施するための最良の形態】
【０００６】  以下、本発明の実施の形態を説明する。
（イ）支柱のＢ部分を握り、下部Ｃを地表の目的の場所におき、Ｂ部に力を加えてなるべく地表に直角に向かい希望の高さまで刺す。
（ロ）支柱２本を棒等の長さに合わせ、間隔をおいて土に刺し、棒を渡す。
（ハ）鉄製鎖を掛けても良く、合成樹脂製のような軽い鎖だと巾広く、広い場所でも利用できる。
（ニ）支柱４本を棒に合わせ平行に適当に刺し棒を渡す。
（ホ）支柱を刺した後、棒又は竹棒を渡し、ワラをのせ日除けに利用できる。
（ヘ）支柱を刺した後、布又はシートをかけて霜よけ、寒さよけに、利用できる。
（ト）支柱を刺した後、カゴ等をのせ、梅干や薬草干しに利用できる。
（チ）支柱を刺した後、棒を渡した簡易物干しに利用できる。
（リ）支柱を刺し、棒を渡し棒にタラスゲ等をさげ、又エンドウ豆のつる受けに利用できる。
（ヌ）支柱を刺し、その上に硬いホースを渡し、農作物をいためず潅水用に利用できる。
本発明は、以上のような構成よりなっている。
これを使用する時は、複数の支柱を地中に刺し、図１８〜図２７、図３０に示すような使用方法等があり、極めて便利であり、いろいろの使用方法があり農業用、又は他の分野でも利用でき、大量生産も可能で安価な農業用支柱を期待できる。
【図面の簡単な説明】
【０００７】
【図１】本発明の基本型の正面図である。
【図２】本発明の基本型の右側面図である。
【図３】本発明の基本型の拡大平面図である。
【図４】本発明の基本型の拡大底面図である。
【図５】本発明の類似型の正面図である。
【図６】本発明の類似型の正面図である。
【図７】本発明の類似型の正面図である。
【図８】本発明の類似型の正面図である。
【図９】本発明の類似型の正面図である。
【図１０】本発明の類似型の正面図である。
【図１１】本発明の類似型の正面図である。
【図１２】本発明の類似型の正面図である。
【図１３】本発明の類似型の正面図である。
【図１４】本発明の類似型の正面図である。
【図１５】本発明の類似型の正面図である。
【図１６】本発明の類似型の正面図である。
【図１７】本発明の類似型の正面図である。
【図１８】本発明の実施例１である。
【図１９】本発明の実施例２である。
【図２０】本発明の実施例３である。
【図２１】本発明の実施例４である。
【図２２】本発明の実施例５である。
【図２３】本発明の実施例６である。
【図２４】本発明の実施例７である。
【図２５】本発明の実施例８である。
【図２６】本発明の実施例９である。
【図２７】本発明の実施例１０である。
【図２８】本発明の他の類似型の正面図である。
【図２９】本発明の他の類似型の正面図である。
【図３０】本発明の他の実施例１１である。
【符号の説明】
【０００８】  １  農業用支柱
２  Ｕ字形部
３  Ａ部
４  Ａ’部
５  中間部金具Ｂ
６  先端部Ｃ
【図１】
2006034272.tif 000003
【図２】
2006034272.tif 000004
【図３】
2006034272.tif 000005
【図４】
2006034272.tif 000006
【図５】
2006034272.tif 000007
【図６】
2006034272.tif 000008
【図７】
2006034272.tif 000009
【図８】
2006034272.tif 000010
【図９】
2006034272.tif 000011
【図１０】
2006034272.tif 000012
【図１１】
2006034272.tif 000013
【図１２】
2006034272.tif 000014
【図１３】
2006034272.tif 000015
【図１４】
2006034272.tif 000016
【図１５】
2006034272.tif 000017
【図１６】
2006034272.tif 000018
【図１７】
2006034272.tif 000019
【図１８】
2006034272.tif 000020
【図１９】
2006034272.tif 000021
【図２０】
2006034272.tif 000022
【図２１】
2006034272.tif 000023
【図２２】
2006034272.tif 000024
【図２３】
2006034272.tif 000025
【図２４】
2006034272.tif 000026
【図２５】
2006034272.tif 000027
【図２６】
2006034272.tif 000028
【図２７】
2006034272.tif 000029
【図２８】
2006034272.tif 000030
【図２９】
2006034272.tif 000031
【図３０】
2006034272.tif 000032
(57)【要約】      （修正有）【課題】  ドラバイト粉末が脱落することなく、従って、消臭効果を確実に維持できる靴の中敷を提供する。【解決手段】  中敷基板１の上面１ａに該上面を被装して接着した布製の表面シート２の全域に接合剤と発泡剤とで粒子状の固まりとしたドラバイト微粉末で成る、無数の突子３，３，…を並設する。【選択図】図２
2006034767.tif 000002
【特許請求の範囲】
【請求項１】
底材基板の上面に該上面を被装して接着した布製の表面シートの全域に、接合剤と発泡剤とで粒子状の固まりとした、ドラバイト微粉末で成る、無数の突子を並設した、中敷等の靴の底材。
【発明の詳細な説明】
【技術分野】
【０００１】
本発明は、靴底の上面層を構成する、中敷等の靴の底材に関するものである。
【背景技術】
【０００２】
所謂ドラバイト（トルマリンの一種）は、遠赤外線、脱臭、消臭、抗菌或いは植物の成長を促すなどの諸効果が期待されるものであることが知られているが、これらの効果中の脱臭や消臭効果に着目して靴の中敷の構成材として用いられるようになっている。
【０００３】
トルマリンを靴の中敷に適用したものとして、中敷基材に綿状層を設け、該綿状層内にトルマリンの微粒子や粉末を含有して構成したものがある（例えば、特許文献１）。
【０００４】
【特許文献１】特開２００１−７０００８号公報
【発明の開示】
【発明が解決しようとする課題】
【０００５】
前記従来例は、綿状層の厚み方向のクッション性を利用して綿状層内に空気を出入させて（歩行時に）、綿状層内に含有したトルマリンに接触させ、所期の効果を期待しようとするものであるが、トルマリンの粒子や粉体は綿状層を構成する繊維に対して自由状態であるため、綿状層（中敷体）から当該粒子等が脱落し、経時的には当該効果が低減し、また、中敷体自体綿状層を備えたものであるため湿気勝ちとなり、この点からも所期の効果を期待できるか問題で、所謂濡れると、早期の乾燥状態の復帰を期待できないから、雨時を避けるなどの使用上の、さまざまな制約がある。
【課題を解決するための手段】
【０００６】
底材基板の上面に該上面を被装して接着した布製の表面シートの全域に、接合剤と発泡剤とで粒子状の固まりとした、ドラバイト微粉末で成る、無数の突子を並設した、構成とするのである。
【発明の効果】
【０００７】
本発明によれば、ドラバイト粉末は基板に固定した状態で配置されるから、該ドラバイト粉末の脱落は防止され、従って、脱落による機能の低減を防止した、ドラバイトを用いた中敷等の底材を提供できる。
【０００８】
また足裏はドラバイトを含んだ突出部を介して靴底上に載せられるから、足裏と靴底との間にわずかな隙間が生じて空気の流通が行われ、湿気の滞留を防ぎ、湿気による諸種の弊害を防ぐことができる。
【実施例】
【０００９】
図面は本発明に係る中敷等の靴の底材を中敷に適用した一実施例を示し、図１は平面図、図２は図１の断面図、図３は一部拡大断面図である。
【００１０】
本発明に係る中敷Ａは、靴底の輪郭形に近似した輪郭形を備え、靴内に装入して靴底（中底）上に重ね合わせる、ＥＶＡ樹脂（ポリウレタンやゴムでも良い）で成る中敷基板１の上面１ａに、布製の表面シート２を重ね合わせてその裏面を接着材４で接着して前記上面１ａを被装して構成したものである。
【００１１】
表面シート２はポリエステル繊維（ナイロン繊維でも良い）より成る繊維体で成り、その表面にドラバイトセラミックス微粉末を混入させた、接合材と発泡材との混合物で成る、無数の突子３，…を並設したもので、布製シート２の織物としての織目径が小さいものを用いることにより、前記中敷基板１の上面に接着剤４層、表面シート２層そして突子３層が層設され、最上位の突子３層は表面シート２層上に点在して形成される。
【００１２】
実施例の中敷Ａを得るには、中敷基板１（射出成形した）の上面に塗布した接着剤上に、印刷手段によって接合剤、発泡剤及びドラバイト微粉末で成る混合物を上面に印刷した布製の表面シート２を重ね合わせ、加熱しながら基板１に布表面シート２を圧接させると、混合物は発泡剤によって膨らんで突子３，…と成り、当該中敷Ａを得ることができるのである。
【００１３】
なお、実施例は中敷について本発明を適用しているが、所謂、中底に本発明を利用しても良く、その場合、図示の中敷基板１は底材と一体となって中底基板を構成する。
【図面の簡単な説明】
【００１４】
【図１】平面図。
【図２】図１の断面図。
【図３】一部拡大断面図。
【符号の説明】
【００１５】
１      中敷基板
２      表面シート
３      突子
【図１】
2006034767.tif 000003
【図２】
2006034767.tif 000004
【図３】
2006034767.tif 000005
(57)【要約】【課題】  比較的面積の大きい患部を保護しながら乾燥を促進することで治癒期間の短縮を目指す絆創膏を提供する。【解決手段】  絆創膏１は、基材シート２の裏面に粘着剤層３を積層し、この粘着剤層３の略中央部に平面状パッド４を貼付し、その外面を剥離紙５によって保護するもので、パッド４と剥離紙５間に環状部材６を介在する。使用の際には剥離紙５を粘着剤層３から剥がし、患部が環状部材６の内部に収容されるように皮膚に貼着する。環状部材６の存在によりパッド４と患部との間に空気層を形成する。パッド４は患部から離隔した位置にあるため、何らかの理由で患部に対応する部分に器物等が接触した場合にも触れる衝撃を緩和する。【選択図】        図２
2006034476.tif 000002
【特許請求の範囲】
【請求項１】
基材シートの裏面に粘着剤層を積層し、この粘着剤層の略中央部に平面状パッドを貼付し、その外面を剥離紙によって保護する絆創膏において、前記パッドと患部との間に空気層を形成し得る環状部材をパッドと剥離紙間に介在することを特徴とする絆創膏。
【発明の詳細な説明】
【技術分野】
【０００１】
この発明は、患部を保護しながら乾燥を促進することで治癒期間の短縮を目指す絆創膏に関するものである。
【背景技術】
【０００２】
一般に絆創膏は、軟質フィルムからなる基材シートの裏面に粘着剤層が設けられ、この粘着層の略中央部にガーゼ、綿布、不織布等からなるパッドが接着され、必要に応じて患部に貼着して使用されている。
【０００３】
パッドは傷口等の患部に対し外部からの接触を防止して患部を保護する働きも有するが、患部に密着する構成とした場合、傷口等の乾燥が遅れ、その結果として治癒期間が延びてしまう欠点があった。
【０００４】
そこで従来の絆創膏には、例えばウオノメやイボ、タコなどの患部を保護するためパッドの略中央部に開口を設けるものがあった。このような絆創膏としては、例えば下記に示すような従来技術があった。
【特許文献１】特開２００１−１７４６３号公報  この絆創膏は緩衝作用を有する発泡体層と布帛層と粘着剤層からなる積層粘着シートを外径１５ｍｍ、内径５ｍｍ程度のドーナツ体に打ち抜くもので、開口部にウオノメ等の患部を収容し、これを保護しながらピンポイント的に患部に薬剤を塗布する構成であった。
【発明の開示】
【発明が解決しようとする課題】
【０００５】
しかし、パッドに開口部を備える従来の絆創膏は、ウオノメ等小さな患部を保護するための構成で面積の大きい患部に適用することはできなかった。
【０００６】
この発明は、上記のような従来の絆創膏が有する問題点を解消すべくなされたものであり、比較的面積の大きい患部を保護しながら乾燥を促進することで治癒期間の短縮を目指す絆創膏を提供することを目的としている。
【課題を解決するための手段】
【０００７】
上記課題を解決するため、この発明の絆創膏は、基材シートの裏面に粘着剤層を積層し、この粘着剤層の略中央部に平面状パッドを貼付し、その外面を剥離紙によって保護する絆創膏において、前記パッドと患部との間に空気層を形成し得る環状部材をパッドと剥離紙間に介在することを特徴とするものである。
【０００８】
環状部材は、肌に接触して若干変形し得る程度の弾性を備えた部材が好ましく、各種合成樹脂、発泡ゴム、天然ゴムなどが使用される。環状部材の厚みは、空気層を確保し得るよう３〜５ｍｍ程度とし、その内径は１０〜３０ｍｍ程度とするがパッドが患部に触れないようにその厚さ及び内径を適宜選定する。環状部材はパッドに貼着するものでも、又その外部の基材シートに貼着するものでもよい。
【発明の効果】
【０００９】
この発明の絆創膏は、環状部材をパッドと剥離紙間に介在するので、パッドと患部との間に空気層を形成することができ、比較的面積の大きい患部であっても、これを保護しながら乾燥を促進することで治癒期間の短縮を目指すことができる。
【発明を実施するための最良の形態】
【００１０】
次にこの発明の実施の形態を添付図面に基づき詳細に説明する。図１は絆創膏の平面図、図２は図１のII−II断面を示す断面図である。絆創膏１は、基材シート２の裏面に粘着剤層３を積層し、この粘着剤層３の略中央部に平面状パッド４を貼付し、その外面を剥離紙５によって保護するもので、パッド４と剥離紙５間に環状部材６を介在する。
【００１１】
使用の際には剥離紙５を粘着剤層３から剥がし、患部が環状部材６の内部に収容されるように皮膚に貼着する。パッド４は略平面のシート形状であり通気性の高い素材を使用する。
【００１２】
この環状部材６の内径はウオノメやイボ、タコなどの患部を保護するための粘着パッドの開口部に比べ十分大きなものとする。環状部材６は円形に限らず四角形でもよい。この環状部材６の存在によりパッド４と図示しない患部との間に空気層を形成する。
【００１３】
パッド４は患部から離隔した位置にあるため、何らかの理由で患部に対応する部分に器物等が接触した場合にも触れる衝撃を緩和することができる。
【図面の簡単な説明】
【００１４】
【図１】絆創膏の平面図である。
【図２】図１のII−II断面を示す断面図である。
【符号の説明】
【００１５】
１  絆創膏
２  基材シート
３  粘着剤層
４  パッド
５  剥離紙
６  環状部材
【図１】
2006034476.tif 000003
【図２】
2006034476.tif 000004